(57)【要約】【課題】  鋼製水路の利点を活かしつつ、水路を流れる水を浄化することによって、水系（河川、海、湖沼等）への影響を最小限に抑える。【解決手段】  壁面１２に、多孔質材の小塊２７を装填したネット材２０を配設する（請求項１）。水路に流れ込む水の中に環境に対して好ましくない化学成分が含まれていても、これらの成分は水路に流入する際、或いは水路を流れる過程で、多孔質材の微孔に吸着され、下流への排出量が低下する。【選択図】    図１
0003127061.tif 000002
【実用新案登録請求の範囲】
【請求項１】
鋼製水路の壁面に、多孔質材の小塊を装填したネット材を配設することを特徴とする鋼製水路。
【請求項２】
多孔質材は、ガラス瓶の粉砕細粒と貝殻の粉砕細粒とを混合焼結させたものであることを特徴とする請求項１記載の鋼製水路。
【考案の詳細な説明】
【技術分野】
【０００１】
本考案は、河川堤内排水路等に用いる鋼製水路の水質浄化を図る技術に関する。
【背景技術】
【０００２】
河川堤内排水路は、従来、壁面にコンクリートを使用することが多かった。しかしながら、伏流水等の影響によって背面の土圧が高まり、水路のコンクリート壁面に著しいダメージを与えることがある。
【０００３】
このため、近年は、背面水の多い箇所に鋼製型枠を配して、水を含んだ土圧の影響による水路の破損を防止する試みがなされている。
【０００４】
図３は、鋼製水路に用いるユニット材を例示するものである。この鋼製水路のユニット材は、所定の角度で対向配置する二つの壁面パネル２と、この壁面パネル２の端部を連結するＨ鋼で作ったジョイント６とからなる。
【０００５】
７は、壁面パネル２を構成する縦材３と横材４の隙間に配した濾過材である。この濾過材７は、背面の土中から鋼製水路に流入する泥水を浄化し、できるだけ水路内の水質を良好に保つ。
【０００６】
鋼製水路は、壁背面の土中の水を濾過材７を通して水路に逃がすことが出来る点で優れており、耐久性も高く、工期も短縮できる等の利点がある。鋼製水路のユニット材は、複数個を連結させて使用する。水路が湾曲する部分には、曲率に応じた適宜の継手ユニットを使用する場合もある。
【特許文献１】なし
【考案の開示】
【考案が解決しようとする課題】
【０００７】
問題は、水路に流入する泥水を浄化するための濾過材７を設けても、化学物質、例えば、リンやアンモニアといった成分は濾過材７を通過してしまう点にある。つまり、泥水中の細かな土粒子は取り除けても、水に溶け込んでいる化学物質は水路を経由して一般河川や海に流れ出る可能性が高い。また、近隣に牛、馬、豚、鶏といった家畜の施設がある場合は、管理上の不注意によって糞尿の排出事故が生ずる可能性があり、常に水系の汚染問題が懸念されているのが実状である。
【０００８】
そこで、本考案の目的は、鋼製水路の優れた利点を活かしつつ、水路を流れる水を浄化することによって、水系（河川、海、湖沼等）への影響を最小限に抑える点にある。
【課題を解決するための手段】
【０００９】
前記目的を達成するため、本考案に係る鋼製水路は、壁面に、多孔質材の小塊を装填したネット材を配設する（請求項１）。
【００１０】
水路の壁面に、ネット材に装填した多孔質材の小塊を設けることにより、壁の背面から水路に流れ込む水の中に、環境に対して好ましくない化学成分（例えばリン、アンモニア等）が含まれていても、これらの成分は水路に流入する際、或いは水路を流れる過程で、多孔質材の微孔に吸着される。下流への排出量は確実に低減する。
【００１１】
多孔質材は、ガラス瓶の粉砕細粒と貝殻の粉砕細粒とを混合焼結させたものを用いる場合がある（請求項２）。
【００１２】
リンやアンモニア等の可溶性成分を吸着するための多孔性物質は、天然の石材を用いても良い。しかしながら、産業廃棄物として多量かつ安価に入手可能なガラス瓶を用いた粉砕細粒と、ホタテ貝をはじめとする各種の貝殻の粉砕細粒とを原材料として高温焼結させることにより、微小孔を大量にもった多孔性物質を低コストの条件下で取得できる。
【００１３】
用排水路の建設や維持管理は、国や地方自治体等の少ない財源の中で行うのが実状であるため、できるだけ導入コストやメンテナンスコストを削減できる素材を使用することが望ましい。
【考案の効果】
【００１４】
本考案に係る鋼製水路によれば、水路の壁面に多孔質材の小塊を装填したネット材を配設するので、化学物質を吸着でき、河川や海への影響を抑制することができる。
【考案を実施するための最良の形態】
【００１５】
図１は、本考案に係る鋼製水路の一実施形態を示すものである。鋼製水路のユニット材１０は、従来と同様、例えば、所定角度で傾斜させた鋼製の二つの壁面パネル１２と、この壁面パネル１２の端部を連結するジョイント１６からなり、壁面パネル１２は、適宜数、例えば、二本の縦材１３と四本の横材１４によって構成する。これらの部材は、例えばＨ型鋼を使用することが出来る。強度がある限りＨ型鋼に限らず角管等、適宜形状のものを用いてもよい。なお、底面にもユニットパネルを配しても良い。
【００１６】
縦材１３は、少なくとも右端と左端に設ける。横材１４は、例えば、上端と下端、および均等割りした位置に適宜数（例えば二本〜五本）設ける。縦材１３と横材１４とが作る隙間の部分には、従来と同様に濾過材１７を配することが望ましい。細かな土粒子の流入を防止するためである。ユニット材１０は複数を連結させて使用する。連結方法は問わない。隣接する縦材１３同士をボルト締めしてもよいし、隣接する縦材１３を継手を介してボルト等によって締め固定してもよい。
【００１７】
２０は、壁面パネル１２に装着するネット材である。このネット材２０は、例えば、壁面パネル１２の大きさに合わせた上下寸法をもち、濾過材１７を装着する隙間部分、つまり水の流入部分の大きさと形状に合わせた数の横長のポケット２１〜２３をもつ。このポケット２１〜２３に、水路を流れる水を浄化するための多孔質材の小塊２７を装填する。ネット材２０は、樹脂製ネットでも良いし金属線を用いた金属ネットでもよい。
【００１８】
多孔質材の小塊２７の大きさは、取り扱いの容易さから、小石程度（直径１〜５ｃｍ）とすることが望ましい。小塊２７が小さい方が比表面積を大きくできるので有害物質の吸収効率が高まるが、ネット材２０の網目を過度に小さくすると水の流動を妨げる。このため、ネット材２０の網目は例えば０．５〜３ｃｍ程度とし、この網目から逸脱（流失）しない大きさの多孔質材の小塊２７を使用することが望ましい。
【００１９】
多孔質材は、天然のものとしては例えば火山礫があり、人工のものとしては例えば市販の多孔質セラミック等がある。しかしながら、好ましくは、産業廃棄物であるガラス瓶の粉砕小片（細粒）とホタテその他の貝殻の粉砕小片（細粒）とを混合し、焼結させて適宜の大きさに砕いたものを使用する。ガラス瓶や貝殻は安価に大量入手ができるだけでなく、産業廃棄物の再活用としても優れる。
【００２０】
またアルカリ質である貝殻を使用することにより、水路の壁に繁殖しやすい草の成長を最小に抑え、草本の繁茂による樹脂ネット２０の破損を抑える効果も併せ持つ。
【００２１】
２５は、ポケット２１〜２３をの上下を画成する縫製ライン、２６は、多孔質材の小塊２７を装填するための開口である。多孔質材の小塊２７を装填した後、開口２６は適宜の手段により閉じる。閉じる手段は問わない。例えば縫製や加熱圧着でも良いし、ステイプラー（いわゆるホチキス）を用いてもよい。
【００２２】
この実施形態では、ネット材２０の左右寸法を、壁面パネル１２の左右寸法と同一とする場合を示した。ポケット２１〜２３を複数に分割してあるので、ネット材２０の縫製ライン２５を横材１４に適当数の金具（例えばネジ）によって固定すれば、小塊２７の重量は容易に支持できる。なお、固定点の数は、台風や大雨による流水増加を考慮してネット材２０が破損しないよう設計することが望ましい。
【００２３】
多孔質材の小塊２７を装填したネット材２０は、例えば図２に示すように、少なくとも壁面パネル１２の内側の表面に固定する。底面にも設けることは出来るし、それが望ましい。しかしながら、水路にはしばしばゴミ（例えば自転車）が投げ入れられることもあり破損流失の問題が課題として残る。Ｂは固定ボルトである。
【００２４】
従って、かかる鋼製水路によれば、壁面パネル１２の内側に固定したネット材２０内の多孔質材の小塊２７が、水路を流れる水に含まれるリン、アンモニア等の有害成分を吸収し、一般河川、海、湖沼に対する水質汚染の影響を最小限に抑える。
【００２５】
また、ガラス瓶の粉砕細粒と貝の粉砕細粒を多孔質材の原料として用いたときは、低コストでの製造が可能であり、水路への適用導入が容易になる。アルカリを呈する貝殻を使用するので、草の繁茂によるネット材２０の破損も少なく、多孔質材の寿命を比較的長期にわたって保証することも出来る。使用後の多孔質材は、洗浄することによって再度の利用も可能である。
【００２６】
本考案に係る鋼製水路は、この実施形態のものに限定されない。例えば、前記説明ではネット材２０の左右寸法を、壁面パネル１２の左右寸法と略同一にする旨説明したが、多孔質材の小塊２７を装填したネット材２０の重量を軽減するため、ネット材２０の左右寸法を、壁面パネル１２の左右寸法の１／２とするなど小さくする等である。ネット材２０の上下寸法を例えば１／２または１／３にしても重量軽減を図ることが出来る。
【００２７】
壁面パネル１２は、左右に縦材１３を設ける構成を例示したが、中央に一本またはそれ以上の縦材を設けて強度を高めてもよい。
【００２８】
前記説明では、水路の底面には、多孔質材の小塊２７を装填したネット材２０を設けていない。しかし水路が長い場合は、底面パネルにも多孔質材の小塊２７を装填したネット材２０を固定配置してもよい。なお、ネット材に代えて金属製ネットを使用した場合は、ネット材の費用が嵩むだけでなく、重量が増加し、取り付けも煩雑になる等の問題があり好ましくない。
【図面の簡単な説明】
【００２９】
【図１】実施形態に係る鋼製水路のユニット材を例示する図である。
【図２】実施形態に係るネット材の配設位置を断面で示す図である。
【図３】従来の鋼製水路のユニット材を例示する図である。
【符号の説明】
【００３０】
１０  ユニット材
１２  壁面パネル
１３  縦材
１４  横材
１６  ジョイント
１７  濾過材
２０  ネット材
２１〜２３  ポケット
２７  多孔質材の小塊
【図１】
0003127061.tif 000003
【図２】
0003127061.tif 000004
【図３】
0003127061.tif 000005